(57)【要約】【課題】建造物と遠隔の場所においても、建造物の利用者の状態を的確に把握することのできるハウスセキュリティシステムを提供すること。【解決手段】図４（ｂ）は、携帯電話１００からのデータ送信要求に応答して、親機４０から送信された２００２年９月２８日１７：４５の住居内の情報を示した表示画面６０である。図４（ｂ）においては、玄関において最後に人体が検知された検出時刻は「０９／２８  １７：３０」であり、台所においては「０９／２８  １７：３２」、１階廊下では「０９／２８  １７：３４」、２階廊下では「０９／２８  １７：３５」、２階子供部屋では「０９／２８  １７：４５」において、それぞれ人体検知があったことが示されている。これにより、１７：３０に帰宅した子供が、台所によった後、１階廊下、２階廊下を経由して、現在２階の子供部屋にいることが示されている。【選択図】        図４
2004171266.tif 000002
【特許請求の範囲】
【請求項１】
建造物の利用者に関する利用者情報を検出する複数の利用者検知センサと、その利用者検知センサにより検出される利用者情報を管理する管理装置とを備えたハウスセキュリティシステムにおいて、
前記各利用者検知センサは、前記管理装置にそれぞれ接続されると共に、前記建造物の利用者の活動場所となる前記建造物の複数の箇所にそれぞれ配設されるものであり、
前記管理装置は、前記複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とを出力する出力手段を備えており、
その出力手段により出力される前記検出時刻の情報は、前記出力手段による出力前に前記利用者検知センサが最後に利用者を検出した検出時刻の情報とされていることを特徴とするハウスセキュリティシステム。
【請求項２】
建造物の利用者に関する利用者情報を検出する複数の利用者検知センサと、その利用者検知センサにより検出される利用者情報を管理する管理装置とを備えたハウスセキュリティシステムにおいて、
前記各利用者検知センサは、前記管理装置にそれぞれ接続されると共に、前記建造物の利用者が前記建造物内において取り得る動線に基づいて定められた前記建造物の複数の箇所にそれぞれ配設されるものであり、
前記管理装置は、前記複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とを出力する出力手段を備えており、
その出力手段により出力される前記検出時刻の情報は、前記出力手段による出力前に前記利用者検知センサが最後に利用者を検出した検出時刻の情報とされていることを特徴とするハウスセキュリティシステム。
【請求項３】
前記管理装置は、前記建造物に対して予め定められた利用者が不在であることを示す不在モードを設定する不在モード設定手段を備えており、
その不在モード設定手段により不在モードが設定されている場合に、前記利用者検知センサが利用者を検出すると、異常を示す異常情報を出力する異常情報出力手段を備えていることを特徴とする請求項１または２に記載のハウスセキュリティシステム。
【請求項４】
前記管理装置は、前記利用者検知センサにより検出された利用者情報が、利用者の検出を示すものであるか否かを判断する利用者判断手段と、
その利用者判断手段により、前記利用者情報が利用者の検出を示していると判断されると、その利用者情報の検出時刻を検出元の利用者検知センサに対応付けて記憶する検出時刻記憶手段と、
前記利用者検知センサにより新たに検出された利用者情報が、前記利用者判断手段により利用者の検出を示すものであると判断されると、その利用者情報の検出時刻により、前記検出時刻記憶手段に先に記憶されている対応する利用者検知センサの検出時刻の情報を更新し、一方、前記利用者判断手段により前記利用者情報は利用者の検出を示すものでないと判断されると、前記検出時刻記憶手段に先に記憶される検出時刻の情報更新を非実行とする更新手段とを備えていることを特徴とする請求項１から３のいずれかに記載のハウスセキュリティシステム。
【請求項５】
前記管理装置に接続されると共に、前記建造物の所定の箇所に配設され、前記建造物の屋内環境に関する現状の環境情報を検出する環境検知センサを備えており、
前記出力手段は、前記環境検知センサにより検出された現状の環境情報と、その環境情報を検出した環境検知センサの配設箇所の情報とを出力するものであることを特徴とする請求項１から４のいずれかに記載のハウスセキュリティシステム。
【請求項６】
前記利用者検知センサおよび前記環境検知センサの内、検出情報をアナログデータで検出するアナログセンサについて、検出されたアナログデータをデジタルデータに変換すると共に前記アナログセンサの近傍に配置された中継装置と、少なくとも前記利用者検知センサまたは前記環境検知センサのいずれかとを有し、前記管理装置に接続されるセンサユニットを備えており、
そのセンサユニットは、前記利用者検知センサまたは前記環境検知センサにより検出されたアナログデータを前記中継装置によってデジタルデータに変換した後、前記管理装置に送信するものであることを特徴とする請求項５記載のハウスセキュリティシステム。
【請求項７】
前記センサユニットと前記管理装置とは、有線回線を介して相互に接続されていることを特徴とする請求項６記載のハウスセキュリティシステム。
【請求項８】
前記管理装置は、その管理装置とは遠隔に設置されると共にその管理装置の出力手段により出力される情報を受信する情報受信装置に無線回線を介して相互に接続されており、その情報受信装置からの情報送信要求に応答して前記出力手段に情報の出力を指示し、その出力手段は、その情報出力指示に基づいて、前記無線回線を介し、情報送信要求元の前記情報受信装置宛に情報を送信するものであることを特徴とする請求項１から７のいずれかに記載のハウスセキュリティシステム。
【請求項９】
前記管理装置は、予め登録された前記情報受信装置の識別情報を記憶する識別情報記憶手段と、前記情報受信装置から情報送信要求がなされた場合に、情報送信要求元の前記情報受信装置の識別情報が、その識別情報記憶手段に記憶されているか否かを判断する識別情報判断手段と、その識別情報判断手段により、情報送信要求元の前記情報受信装置の識別情報が前記識別情報記憶手段に記憶されていないと判断されると、前記出力手段による前記情報受信装置への情報送信を禁止する送信禁止手段とを備えていることを特徴とする請求項８記載のハウスセキュリティシステム。
【請求項１０】
前記管理装置と遠隔に設置されると共に無線回線を介して前記管理装置と相互に接続される情報受信装置を備えており、
その情報受信装置は、前記管理装置の出力手段により出力される情報を受信する受信手段と、その受信手段により受信されたデータを表示する表示装置とを備えていることを特徴とする請求項１から９のいずれかに記載のハウスセキュリティシステム。
【請求項１１】
前記情報受信装置は、前記受信手段により受信した前記配設箇所情報と前記検出時刻の情報とを対応付けて、前記表示装置に表示するものであることを特徴とする請求項１０記載のハウスセキュリティシステム。
【発明の詳細な説明】
【０００１】
【発明の属する技術分野】本発明は、ハウスセキュリティシステムに関し、特に、建造物と遠隔の場所においても、建造物の利用者の状態を的確に把握することのできるハウスセキュリティシステムに関するものである。
【０００２】
【従来の技術】ハウスセキュリティシステムは、個人宅やオフィスなどの建造物の防犯や防災を目的として設けられるシステムである。このセキュリティシステムは、建造物内またはその周縁の随所に設けられ、セキュリティに関するデータを検出するセンサと、建造物内に設けられ、センサにより検出された検出データを管理する宅内電送装置（親機）と、建造物（宅内電送装置）とは遠隔に設置され、宅内電送装置から異常事態の発生の通報を受ける情報処理装置とにより構成される。
【０００３】
具体的には、センサには、火災の発生を検出する火災感知器、ガス漏れを検出するガス漏れ警報器、防犯センサなどが用いられる。各センサにより検出された検出データは、宅内電送装置に伝送され、この宅内電送装置から電気通信回線を介して、管理センタおよび保安センタの情報処理装置に受信される。これにより、管理センタおよび保安センタにおいて、火災やガス漏れ、侵入者などの異常事態の発生が認識される（特許文献１参照）。
【０００４】
【特許文献１】
特開平７−２３１３６３号公報
【０００５】
【発明が解決しようとする課題】しかしながら、核家族化や、家族の高齢化、共働き家庭の増加により、異常事態の発生時のみならず、平常時においても、在宅者や屋内の状態を、出先にいる家族が確認できるハウスセキュリティシステムが要望されていた。
【０００６】
ここで、従来のハウスセキュリティシステムでは、侵入者が検出されると、その旨が通報されるが、これは、建造物が個人宅である場合には、主として、その居住者（利用者）が、建造物がオフィスである場合にはその社員（利用者）が不在である場合に実行される処理である。つまり、在宅者（利用者）の状態を確認できるようには構成されていないため、従来システムをそのまま在宅者の状態の確認に利用できないという問題点があった。
【０００７】
更に、従来のシステムでは、通報される情報は、現況の状態を示す情報である。このため、現在、人が検出されたこと、または、現在、人が検出されないことのいずれかのみの情報しか得られず、十分に、在宅者の状態を把握できないという問題点があった。
【０００８】
このため、例えば、留守番をする子供や、要介護者の家族がいる場合に、出先にいる家族は、安心して用事や仕事を遂行することができないという問題点が解決されないでいた。
【０００９】
本発明は、上述した問題点を解決するためになされたものであり、建造物と遠隔の場所においても、建造物の利用者の状態を的確に把握することのできるハウスセキュリティシステムを提供することを目的としている。
【００１０】
【課題を解決するための手段】この目的を達成するために請求項１記載のハウスセキュリティシステムは、建造物の利用者に関する利用者情報を検出する複数の利用者検知センサと、その利用者検知センサにより検出される利用者情報を管理する管理装置とを備え、前記各利用者検知センサは、前記管理装置にそれぞれ接続されると共に、前記建造物の利用者の活動場所となる前記建造物の複数の箇所にそれぞれ配設されるものであり、前記管理装置は、前記複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とを出力する出力手段を備えており、その出力手段により出力される前記検出時刻の情報は、前記出力手段による出力前に前記利用者検知センサが最後に利用者を検出した検出時刻の情報とされている。
【００１１】
この請求項１記載のハウスセキュリティシステムによれば、各利用者検知センサは、建造物の利用者の活動場所となる建造物の複数の箇所にそれぞれ配設されている。この利用者検知センサにより利用者情報が検出されると、検出された利用者情報は、接続される管理装置に入力される。管理装置からは、複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とが、出力手段により出力される。この出力手段により出力される検出時刻の情報は、出力手段による出力前に利用者検知センサが最後に利用者を検出した検出時刻の情報とされている。
【００１２】
請求項２記載のハウスセキュリティシステムは、建造物の利用者に関する利用者情報を検出する複数の利用者検知センサと、その利用者検知センサにより検出される利用者情報を管理する管理装置とを備え、前記各利用者検知センサは、前記管理装置にそれぞれ接続されると共に、前記建造物の利用者が前記建造物内において取り得る動線に基づいて定められた前記建造物の複数の箇所にそれぞれ配設されるものであり、前記管理装置は、前記複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とを出力する出力手段を備えており、その出力手段により出力される前記検出時刻の情報は、前記出力手段による出力前に前記利用者検知センサが最後に利用者を検出した検出時刻の情報とされている。
【００１３】
この請求項２記載のハウスセキュリティシステムによれば、各利用者検知センサは、建造物の利用者が前記建造物の内において取り得る動線に基づいて定められた建造物の複数の箇所にそれぞれ配設されている。この利用者検知センサにより利用者情報が検出されると、検出された利用者情報は、接続される管理装置に入力される。管理装置からは、複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とが、出力手段により出力される。この出力手段により出力される検出時刻の情報は、出力手段による出力前に利用者検知センサが最後に利用者を検出した検出時刻の情報とされている。
【００１４】
請求項３記載のハウスセキュリティシステムは、請求項１または２記載のハウスセキュリティシステムにおいて、前記管理装置は、前記建造物に対して予め定められた利用者が不在であることを示す不在モードを設定する不在モード設定手段を備えており、その不在モード設定手段により不在モードが設定されている場合に、前記利用者検知センサが利用者を検出すると、異常を示す異常情報を出力する異常情報出力手段を備えている。
【００１５】
この請求項３記載のハウスセキュリティシステムによれば、請求項１または２に記載のハウスセキュリティシステムと同様に作用する上、管理装置において、不在モード設定手段により不在モードが設定されるている場合に、利用者検知センサが利用者を検出すると、異常を示す異常情報が異常情報出力手段により出力される。
【００１６】
請求項４記載のハウスセキュリティシステムは、請求項１から３のいずれかに記載のハウスセキュリティシステムにおいて、前記管理装置は、前記利用者検知センサにより検出された利用者情報が、利用者の検出を示すものであるか否かを判断する利用者判断手段と、その利用者判断手段により、前記利用者情報が利用者の検出を示していると判断されると、その利用者情報の検出時刻を検出元の利用者検知センサに対応付けて記憶する検出時刻記憶手段と、前記利用者検知センサにより新たに検出された利用者情報が、前記利用者判断手段により利用者の検出を示すものであると判断されると、その利用者情報の検出時刻により、前記検出時刻記憶手段に先に記憶されている対応する利用者検知センサの検出時刻の情報を更新し、一方、前記利用者判断手段により前記利用者情報は利用者の検出を示すものでないと判断されると、前記検出時刻記憶手段に先に記憶される検出時刻の情報更新を非実行とする更新手段とを備えている。
【００１７】
この請求項４記載のハウスセキュリティシステムによれば、請求項１から３のいずれかに記載のハウスセキュリティシステムと同様に作用する上、管理装置において、利用者検知センサにより検出された利用者情報が、利用者の検出を示すものであるか否かが利用者判断手段により判断される。そして、利用者判断手段により、利用者情報が利用者の検出を示していると判断されると、その利用者情報の検出時刻は、検出元の利用者検知センサに対応付けて検出時刻記憶手段に記憶される。利用者検知センサにより新たに検出された利用者情報が、利用者判断手段によって利用者の検出を示すものであると判断されると、その利用者情報の検出時刻により、検出時刻記憶手段に先に記憶されている対応する利用者検知センサの検出時刻の情報が、更新手段によって更新される。また、利用者検知センサにより新たに検出された利用者情報が、利用者判断手段によって利用者の検出を示すものでないと判断されると、検出時刻記憶手段に先に記憶される検出時刻の情報更新は、更新手段により非実行とされる。
【００１８】
請求項５記載のハウスセキュリティシステムは、請求項１から４のいずれかに記載のハウスセキュリティシステムにおいて、前記管理装置に接続されると共に、前記建造物の所定の箇所に配設され、前記建造物の屋内環境に関する現状の環境情報を検出する環境検知センサを備えており、前記出力手段は、前記環境検知センサにより検出された現状の環境情報と、その環境情報を検出した環境検知センサの配設箇所の情報とを出力するものである。
【００１９】
この請求項５記載のハウスセキュリティシステムによれば、請求項１から４のいずれかに記載のハウスセキュリティシステムと同様に作用する上、建造物の所定の箇所に配設された環境検知センサと管理装置とは接続されている。この環境検知センサにより検出された現状の環境情報は、管理装置に入力される。入力された現状の環境情報と、その環境情報を検出した環境検知センサの配設箇所の情報とは、出力手段により出力される。
【００２０】
請求項６記載のハウスセキュリティシステムは、請求項５記載のハウスセキュリティシステムにおいて、前記利用者検知センサおよび前記環境検知センサの内、検出情報をアナログデータで検出するアナログセンサについて、検出されたアナログデータをデジタルデータに変換すると共に前記アナログセンサの近傍に配置された中継装置と、少なくとも前記利用者検知センサまたは前記環境検知センサのいずれかとを有し、前記管理装置に接続されるセンサユニットを備えており、そのセンサユニットは、前記利用者検知センサまたは前記環境検知センサにより検出されたアナログデータを前記中継装置によってデジタルデータに変換した後、前記管理装置に送信するものである。
【００２１】
この請求項６記載のハウスセキュリティシステムによれば、請求項５記載のハウスセキュリティシステムと同様に作用する上、少なくとも前記利用者検知センサまたは前記環境検知センサのいずれかと、中継装置とを備えたセンサユニットは、管理装置に接続される。このセンサユニットに備えられた利用者検知センサおよび環境検知センサの内、検出情報をアナログデータで検出するアナログセンサについては、検出されたアナログデータが、アナログセンサの近傍に配置された中継装置によって、デジタルデータに変換される。変換されたデジタルデータは、センサユニットから管理装置に送信される。
【００２２】
請求項７記載のハウスセキュリティシステムは、請求項６記載のハウスセキュリティシステムにおいて、前記センサユニットと前記管理装置とは、有線回線を介して相互に接続されている。
【００２３】
請求項８記載のハウスセキュリティシステムは、請求項１から７のいずれかに記載のハウスセキュリティシステムにおいて、前記管理装置は、その管理装置とは遠隔に設置されると共にその管理装置の出力手段により出力される情報を受信する情報受信装置に無線回線を介して相互に接続されており、その情報受信装置からの情報送信要求に応答して前記出力手段に情報の出力を指示し、その出力手段は、その情報出力指示に基づいて、前記無線回線を介し、情報送信要求元の前記情報受信装置宛に情報を送信するものである。
【００２４】
この請求項８記載のハウスセキュリティシステムによれば、請求項１から７のいずれかに記載のハウスセキュリティシステムと同様に作用する上、管理装置は、その管理装置とは遠隔に設置される情報受信装置に、無線回線を介して相互に接続されている。そして、情報受信装置からの情報送信要求がなされると、管理装置において、その情報送信要求に応答して、出力手段に情報の出力が指示される。そして、出力手段により、無線回線を介し、情報送信要求元の情報受信装置宛に情報が送信される。
【００２５】
請求項９記載のハウスセキュリティシステムは、請求項８記載のハウスセキュリティシステムにおいて、前記管理装置は、予め登録された前記情報受信装置の識別情報を記憶する識別情報記憶手段と、前記情報受信装置から情報送信要求がなされた場合に、情報送信要求元の前記情報受信装置の識別情報が、その識別情報記憶手段に記憶されているか否かを判断する識別情報判断手段と、その識別情報判断手段により、情報送信要求元の前記情報受信装置の識別情報が前記識別情報記憶手段に記憶されていないと判断されると、前記出力手段による前記情報受信装置への情報送信を禁止する送信禁止手段とを備えている。
【００２６】
この請求項９記載のハウスセキュリティシステムによれば、請求項８記載のハウスセキュリティシステムと同様に作用する上、情報受信装置から情報送信要求がなされると、識別情報判断手段により、情報送信要求元の情報受信装置の識別情報が、識別情報記憶手段に記憶されているか否かが判断される。ここで、情報送信要求元の情報受信装置の識別情報が、識別情報記憶手段に記憶されていないと判断されると、出力手段による情報受信装置への情報送信が、送信禁止手段によって禁止される。
【００２７】
請求項１０記載のハウスセキュリティシステムは、請求項１から９のいずれかに記載のハウスセキュリティシステムにおいて、前記管理装置と遠隔に設置されると共に無線回線を介して前記管理装置と相互に接続される情報受信装置を備えており、その情報受信装置は、前記管理装置の出力手段により出力される情報を受信する受信手段と、その受信手段により受信されたデータを表示する表示装置とを備えている。
【００２８】
この請求項１０記載のハウスセキュリティシステムによれば、請求項１から９のいずれかに記載のハウスセキュリティシステムと同様に作用する上、管理装置と遠隔に設置される情報受信装置は、無線回線を介して管理装置と相互に接続されている。管理装置の出力手段から出力される情報は、この情報受信装置の受信手段により受信される。そして受信手段により受信されたデータは、表示装置により表示される。
【００２９】
請求項１１記載のハウスセキュリティシステムは、請求項１０記載のハウスセキュリティシステムにおいて、前記受信手段により受信した前記配設箇所情報と前記検出時刻の情報とを対応付けて、前記表示装置に表示するものである。
【００３０】
【発明の効果】請求項１記載のハウスセキュリティシステムによれば、各利用者検知センサは、建造物の利用者の活動場所となる建造物の複数の箇所にそれぞれ配設されている。この利用者検知センサにより利用者情報が検出されると、検出された利用者情報は、接続される管理装置に入力される。管理装置からは、複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とが、出力手段により出力される。この出力手段により出力される検出時刻の情報は、出力手段による出力前に利用者検知センサが最後に利用者を検出した検出時刻の情報とされている。
【００３１】
よって、出力手段により出力される情報により、利用者の、建造物内での活動状態（履歴）を示すことができるという効果がある。セキュリティに関して出力される情報は、一般的には、その検出時のデータである。かかる場合の利用者の検出においては、利用者がその検出時に検出場所にいること、またはいないことを単純に示すだけのものである。このため、利用者の状態の時間的な経過を知ることはできない。しかし、配設された利用者検知センサが最後に利用者を検出した検出時刻の情報を出力することができるので、利用者の状態の時間的な経過を知ることができる。言い換えれば、時間的経過を溯って、建造物内のどこに利用者がいたかを示すことができ、単に、現状いる場所を示すだけの場合に比べて、建造物の利用者の行動を詳細に示すことができるのである。
【００３２】
例えば、建造物が個人宅であると、その利用者は、その居住者となる。また、利用者の活動場所としては、居間、台所、食堂、寝室、子供部屋などの居室に加え、廊下や階段、玄関など、居住者が日常生活で利用する箇所となる。故に、居間、台所、食堂、寝室、子供部屋などのそれぞれに配設された利用者検知センサが、最後に居住者を検出した時刻を管理装置から出力すれば、かかる個人宅における居住者の行動（軌跡）を把握することができる。このため、出先に居る保護者は、この出力情報を取得することにより、留守番をする子供の状態を的確に把握することができる。
【００３３】
尚、利用者検知センサは、上記した活動場所に限って配設される必要はなく、また、必ずしも上記した活動場所全てに配設される必要もない。更に、建造物としては、個人宅に限られる者でなく、例えば、会社や病院、公共施設などが例示される。
【００３４】
請求項２記載のハウスセキュリティシステムによれば、各利用者検知センサは、建造物の利用者が前記建造物の内において取り得る動線に基づいて定められた建造物の複数の箇所にそれぞれ配設されている。この利用者検知センサにより利用者情報が検出されると、検出された利用者情報は、接続される管理装置に入力される。管理装置からは、複数の利用者検知センサの内、少なくとも一部の利用者検知センサについて、その利用者検知センサが利用者情報を検出した検出時刻の情報と、その利用者情報を検出した利用者検知センサの配設箇所を示す配設箇所情報とが、出力手段により出力される。この出力手段により出力される検出時刻の情報は、出力手段による出力前に利用者検知センサが最後に利用者を検出した検出時刻の情報とされている。
【００３５】
よって、出力手段により出力される情報により、利用者の、建造物内での活動状態（履歴）を示すことができるという効果がある。セキュリティに関して出力される情報は、一般的には、その検出時のデータである。かかる場合の利用者の検出においては、利用者がその検出時に検出場所にいること、またはいないことを単純に示すだけのものである。このため、利用者の状態の時間的な経過を知ることはできない。しかし、配設された利用者検知センサが最後に利用者を検出した検出時刻の情報を出力することができるので、利用者の状態の時間的な経過を知ることができる。言い換えれば、時間的経過を溯って、建造物内のどこに利用者がいたかを示すことができ、単に、現状いる場所を示すだけの場合に比べて、建造物の利用者の行動を詳細に示すことができるのである。
【００３６】
例えば、建造物が個人宅であると、その利用者は、その居住者となる。また、利用者が建造物の内において取り得る動線に基づいて定められた建造物の複数の箇所としては、居間、台所、食堂、寝室、子供部屋などの居室に加え、廊下や階段、玄関など、居住者が日常生活で利用する箇所となる。故に、居間、台所、食堂、寝室、子供部屋などのそれぞれに配設された利用者検知センサが、最後に居住者を検出した時刻を管理装置から出力すれば、かかる個人宅における居住者の行動（軌跡）を把握することができる。このため、出先に居る保護者は、この出力情報を取得することにより、留守番をする子供の状態を的確に把握することができる。
【００３７】
尚、利用者検知センサは、上記した箇所に限って配設される必要はなく、また、必ずしも上記した箇所全てに配設される必要もない。更に、建造物としては、個人宅に限られる者でなく、例えば、会社や病院、公共施設などが例示される。
【００３８】
請求項３記載のハウスセキュリティシステムによれば、請求項１または２に記載のハウスセキュリティシステムの奏する効果に加え、管理装置において、不在モード設定手段により不在モードが設定されるている場合に、利用者検知センサが利用者を検出すると、異常を示す異常情報が異常情報出力手段により出力される。
【００３９】
よって、予め定められた利用者が不在の場合に、利用者検知センサが人を検出すると、異常情報の出力により、異常事態の発生を通報することができるという効果がある。
【００４０】
ここで、予め定められた利用者として、例えば、建造物が個人宅である場合には、その居住者である家族が例示され、また、建造物がオフィスである場合には、そのオフィスの従業員が例示される。建造物の利用者が検出された検出時刻の情報を出力する本システムは、例えば、個人宅において、留守番する子供（利用者）の状態を出先において確認することができるものである。ところが、家族が留守である場合にも、同様に処理を行っていては、出力される情報がでたらめなものになるだけでなく、セキュリティを低下させてしまう。利用者検知センサは、単に、利用者（人体）の検出を行うものであり、利用者が正当な利用者であるか否かに関わらず、同様に動作するものであるからである。
【００４１】
しかし、予め定められた利用者（家族）が不在であることを示す不在モードのの設定時には、利用者検知センサが検出した利用者情報が利用者の検出を示している（人体を検出する）と、異常事態の発生であると認識し、不在モードの非設定時とは異なる処理を実行する（異常情報の出力）。故に、高いセキュリティを確保することができる。
【００４２】
請求項４記載のハウスセキュリティシステムによれば、請求項１から３のいずれかに記載のハウスセキュリティシステムの奏する効果に加え、管理装置において、利用者検知センサにより検出された利用者情報が、利用者の検出を示すものであるか否かが利用者判断手段により判断される。そして、利用者判断手段により、利用者情報が利用者の検出を示していると判断されると、その利用者情報の検出時刻は、検出元の利用者検知センサに対応付けて検出時刻記憶手段に記憶される。利用者検知センサにより新たに検出された利用者情報が、利用者判断手段によって利用者の検出を示すものであると判断されると、その利用者情報の検出時刻により、検出時刻記憶手段に先に記憶されている対応する利用者検知センサの検出時刻の情報が、更新手段によって更新される。また、利用者検知センサにより新たに検出された利用者情報が、利用者判断手段によって利用者の検出を示すものでないと判断されると、検出時刻記憶手段に先に記憶される検出時刻の情報更新は、更新手段により非実行とされる。
【００４３】
ここで、出力する必要のある検出時刻の情報は、利用者検知センサが、その配設箇所において、最後に利用者を検出した時刻の情報である。故に、利用者が検出されたことを示す利用者情報が検出された場合に、その検出時刻の情報を記憶し、また、新たに利用者が検出されたことを示す利用者情報が検出されることを契機として、検出時刻の情報を更新することにより、利用者検知センサが最後に利用者を検出した時刻を検出時刻記憶手段に記憶させることができる。
【００４４】
よって、検出時刻記憶手段には、各利用者検知センサ毎に、出力する必要のある１の検出時刻の情報（各利用者検知センサが最後に利用者を検出した検出時刻の情報）のみを記憶させることができ、検出時刻記憶手段を小さな記憶容量のメモリで設計できるという効果がある。また、出力情報の読み出しを効率的に実行でき、処理効率を向上させることができるという効果がある。
【００４５】
請求項５記載のハウスセキュリティシステムによれば、請求項１から４のいずれかに記載のハウスセキュリティシステムの奏する効果に加え、建造物の所定の箇所に配設された環境検知センサと管理装置とは接続されている。この環境検知センサにより検出された現状の環境情報は、管理装置に入力される。入力された現状の環境情報と、その環境情報を検出した環境検知センサの配設箇所の情報とは、出力手段により出力される。
【００４６】
よって、検出時刻の情報（利用者の建造物内での活動状態（履歴））に加え、環境検知センサにより検出された環境情報についても出力することができ、建造物の利用者の状態を把握したい者に、より詳細で高度な情報を提供することができるという効果がある。
【００４７】
ここで、建造物の屋内環境については、現在の屋内環境の状況を示す情報を提供することが重要である。つまり、環境情報の出力時刻とその検出時刻との間に大きな時間差があると、現在の屋内環境を正確に伝達することができないからである。本システムにおいては、検出時刻の情報は、各利用者検知センサのそれぞれが、（該情報の出力前に）最後に利用者を検出した時刻の情報とされているが、環境情報は、現状を示す情報を出力し得るので、的確な情報を提供することができる。
【００４８】
これによれば、利用者の行動によって発生した環境変化を、建造物の利用者の状態（屋内環境）を把握したい者に通知し得、建造物の利用者の状況を複合的に解析させて、その状態をより的確に把握させることができるという効果がある。
【００４９】
尚、環境情報としては、例えば、温度、照度、湿度、屋内ガス組成などが例示され、環境検知センサとしては、これらの環境情報を検出する各センサが例示される。
【００５０】
請求項６記載のハウスセキュリティシステムによれば、請求項５記載のハウスセキュリティシステムの奏する効果に加え、少なくとも前記利用者検知センサまたは前記環境検知センサのいずれかと、中継装置とを備えたセンサユニットは、管理装置に接続される。このセンサユニットに備えられた利用者検知センサおよび環境検知センサの内、検出情報をアナログデータで検出するアナログセンサについては、検出されたアナログデータが、アナログセンサの近傍に配置された中継装置によって、デジタルデータに変換される。変換されたデジタルデータは、センサユニットから管理装置に送信される。
【００５１】
よって、ノイズによる影響を受けやすく、また、信号の減衰の生じ易いアナログの検出データを、検出場所（センサの配設位置）近傍においてデジタルデータに変換することができるので、信号劣化が小さく良質な電気信号で形成される利用者情報を、管理装置に入力することができるという効果がある。
【００５２】
請求項７記載のハウスセキュリティシステムによれば、請求項６記載のハウスセキュリティシステムの奏する効果に加え、センサユニットと管理装置とは、有線回線を介して相互に接続されているので、安価で信頼性の高いシステムを提供することができるという効果がある。
【００５３】
請求項８記載のハウスセキュリティシステムによれば、請求項１から７のいずれかに記載のハウスセキュリティシステムの奏する効果に加え、管理装置は、その管理装置とは遠隔に設置される情報受信装置に、無線回線を介して相互に接続されている。そして、情報受信装置からの情報送信要求がなされると、管理装置において、その情報送信要求に応答して、出力手段に情報の出力が指示される。そして、出力手段により、無線回線を介し、情報送信要求元の情報受信装置宛に情報が送信される。
【００５４】
よって、建造物と遠隔に位置する者に、情報受信装置によって、建造物の利用者の状態を示す情報（利用者が検出された検出時刻の情報およびその位置を示す配設個所情報）を提供することができるという効果がある。また、無線回線を介しての情報出力は、有線回線のような断線の危険性が小さいので、管理装置から情報受信装置に確実に情報送信を行うことができるという効果がある。
【００５５】
請求項９記載のハウスセキュリティシステムによれば、請求項８記載のハウスセキュリティシステムの奏する効果に加え、情報受信装置から情報送信要求がなされると、識別情報判断手段により、情報送信要求元の情報受信装置の識別情報が、識別情報記憶手段に記憶されているか否かが判断される。ここで、情報送信要求元の情報受信装置の識別情報が、識別情報記憶手段に記憶されていないと判断されると、出力手段による情報受信装置への情報送信が、送信禁止手段によって禁止される。
【００５６】
よって、予め登録された情報受信装置でなければ、管理装置からの情報は提供されないので、高いセキュリティを確保することができるという効果がある。管理装置から情報通信装置に提供（送信）される情報は、建造物の利用者の状態を示すものである。故に、かかる情報が、不用意に不特定の情報受信装置に提供されると、その建造物のセキュリティを低下させてしまう。しかし、非登録の情報受信装置には、管理装置から情報が提供されないので、セキュリティを低下させることがない。
【００５７】
請求項１０記載のハウスセキュリティシステムによれば、請求項１から９のいずれかに記載のハウスセキュリティシステムの奏する効果に加え、管理装置と遠隔に設置される情報受信装置は、無線回線を介して管理装置と相互に接続されている。管理装置の出力手段から出力される情報は、この情報受信装置の受信手段により受信される。そして受信手段により受信されたデータは、表示装置により表示される。
【００５８】
よって、建造物と遠隔に位置する者に、情報受信装置によって、建造物の利用者の状態を示す情報（利用者が検出された検出時刻の情報およびその位置を示す配設個所情報）を提供することができるという効果がある。また、無線回線を介しての情報出力は、有線回線のような断線の危険性が小さいので、管理装置から情報受信装置に確実に情報送信を行うことができるという効果がある。
【００５９】
更に、管理装置から出力された情報は、情報通信装置の表示装置に表示されるので、視覚的にかかる情報を確認することができる。故に、利用者検知センサが利用者を検出した検出時刻の情報が、複数の利用者検知センサについて提供されても、音声などでかかる情報が提供される場合に比べ、認知しやすい。
【００６０】
請求項１１記載のハウスセキュリティシステムは、請求項１０記載のハウスセキュリティシステムの奏する効果に加え、受信手段により受信した配設箇所情報と検出時刻の情報とを対応付けて、表示装置に表示するものであるので、いずれの位置において利用者がいつ検出されたかを的確に把握することができるという効果がある。
【００６１】
【発明の実施の形態】以下、本発明の好ましい実施例について、添付図面を参照して説明する。図１は、本発明のハウスセキュリティシステムの１実施例であり、防犯や防災を目的として、一般的な個人住宅に設置されたハウスセキュリティシステム１を模式的に示した外観図である。
【００６２】
このハウスセキュリティシステム１は、人体センサ２８（図２参照）を内蔵すると共に、各種センサ（外部装置１０）に接続される子機２０を、住居内（家屋および家屋に付設されたベランダなど）の各所に備えている。本実施例においては、各子機２０は、監視エリアごと、即ち、玄関、リビング室、台所、１階廊下、１階寝室、トイレ、２階廊下、２階子供部屋のそれぞれに、各１ずつ設けられている。
【００６３】
ここで、子機２０に接続される外部装置１０は、複数の個別の装置、即ち、温度センサ２、照度センサ３、湿度センサ４、ガス漏れセンサ５、煙センサ６、ブザー７（図２参照）の内の必要な装置により構成されている。子機２０には、かかる外部装置１０により検知される温度データ、照度データ、湿度データ、ガスデータ、煙データが入力される。また、子機２０に入力されたデータの内、アナログセンサにより検出されたアナログデータは、デジタルデータに変換される。このため、子機２０は、アナログセンサ近傍に備えられ、アナログセンサ近傍において、検出されたアナログデータをデジタルデータに変換する。
【００６４】
この子機２０に入力された各センサ２〜６，２８の検出データは、デジタルデータで、後述する親機４０に有線回線３５を介して送信される。各子機２０には、それぞれ識別番号が付与されており、その子機２０に接続される外部装置１０および人体センサ２８の検出データには、該子機２０の識別番号が付加されて親機４０に送信される。
【００６５】
また、子機２０は、２のコネクタ（第１コネクタ２６及び第２コネクタ２７、図２参照）を備えており、かかる第１コネクタ２６及び第２コネクタ２７を介して、親機４０または他の子機２０を接続するようになっている。つまり、子機２０は、親機４０に直接的に接続される一方、他の子機２０を介して親機４０と間接的に接続し得るように構成されているのである。
【００６６】
詳細には、第１コネクタ２６には、親機側に位置する１台の子機２０または親機４０が接続され、第２コネクタ２７には、親機側と反対側に位置する１台の子機２０が接続されるようになっている。ここで、子機２０は、両側（親機側及びその反対側）に各１台の装置のみしか接続しない。このため、複数の子機２０は、親機４０との間で１ライン上に連なるように接続される。つまり、複数の子機２０は、同一のデータ送信経路に接続され、かかる場合には、親機４０と子機２０とのデータ通信は、他の子機２０を経由（通過）して実行される。図１においては、７台の子機２０が同一のデータ送信経路に接続され、１台の子機２０が他のデータ送信経路に接続されている。
【００６７】
上記したように、子機２０から親機４０に送信される検出データには、子機２０の識別番号が付加されるので、複数の子機２０が親機４０に接続されても（１のデータ送信経路に複数の子機２０が接続されても）、データは、送信先の親機４０へと確実に送信される。
【００６８】
ハウスセキュリティシステム１は、上記した子機２０に有線回線３５を介して直接、または間接的に接続される１の親機４０を住居内に備えている。親機４０は、子機２０から親機４０に送信される各センサ２〜６，２８の検出データを管理するための装置である。子機２０から送信された検出データは、この親機４０において、異常を示す値であるか否が判定される。また、居住者が在宅である場合には、人体センサ２８が人体を検出した検出時刻を記憶することにより、居住者の活動履歴を記憶する。
【００６９】
この親機４０は、液晶表示装置（以下単「ＬＣＤ」と称す）４８と、各種の設定値を入力するための入力装置４９と、ＬＥＤ５１とを装置本体の前面に備えている。
【００７０】
ＬＣＤ４８は、親機４０の本体前面上方部に配設されている。ＬＣＤ４８は、親機４０で実行される処理や、受信した検出データをモニタするための表示装置である。後述の入力装置４９によって親機４０または子機２０の設定がなされる際には、入力されたデータや操作手順などが、このＬＣＤ４８に表示される。
【００７１】
ＬＣＤ４８の下方には入力装置４９が設けられている。入力装置４９は、各種の設定値を親機４０に入力するためのものであり、指定ボタンと入力ボタンとを備えている。指定ボタンは、１の装置を指定するためのボタンであり、１の親機４０と、親機４０に接続し得る子機２０との数分、設けられている。この指定ボタンには０〜２０の番号が割り付けられている。「０」の指定ボタンは、親機４０に対応し、「１」〜「２０」の指定ボタンは、子機２０を指定する識別番号「１」〜「２０」にそれぞれ対応している。指定ボタンが押下されると、押下された指定ボタンの番号に対応する識別番号が指定される。そして、引き続き入力ボタンを操作することにより入力されたデータは、先に指定された識別番号に対応するデータとして親機４０に記憶される。
【００７２】
入力ボタンは、文字入力を行うことができるように構成されている。この入力ボタンの操作により、子機２０の配設個所の情報（「リビング室」、「台所」）などを親機４０に入力することができる。これにより、親機４０において、子機２０の識別番号と配設箇所の情報とが対応つけらる。言い換えれば、配設箇所の情報は、１の子機２０を指定する識別情報となる。
【００７３】
各指定ボタンには、ＬＥＤ５１（図１においては図示を省略、図２参照）が、それぞれ併設されている。ＬＥＤ５１は、対応する（併設された）指定ボタンが押下されると点灯し、いずれの装置が選択されたかを視覚的に認識させるためのものである。また、このＬＥＤ５１は、異常発生時に、ブザー５２（図２参照）の呼動とともに、その異常検出元の子機２０を報知するべく点灯される。
【００７４】
尚、この親機４０の背面には、子機２０を接続するためのコネクタ（第１コネクタ５３、図２参照）が設けられており、有線回線３５を介して複数の子機２０が接続されるようになっている。上記したように、子機２０は、他の子機２０を介して間接的に親機４０に接続することができるように構成されているので、親機４０は、第１コネクタ５３の数に規制されることなく、多くの子機２０を接続（管理）することができる。
【００７５】
更に、親機４０には、外出モード設定スイッチ５７（図２参照）が備えられている。この外出モード設定スイッチ５７は、親機４０の筐体の内側に設けられており、親機４０の筐体の一部に設けられた開閉部を開放して操作される。外出モード設定スイッチ５７は、外出モードの設定と非設定とを切り替えるスイッチでありスライド型のスイッチで構成されている。スイッチが一端部にあるときには外出モードが設定される。外出モード設定時に、人体センサ２８で検知された者は、侵入者と判断され、ブザー音の出力や、侵入者を通報する緊急通報処理（Ｓ２５、図６参照）が実行される。一方、スイッチが一端部とは反対側の他端部ににあるときには、外出モードが解除される。外出モードが解除されている場合に、人体センサ２８で検知された者は居住者として判断され、その検出時刻の情報が、親機４０に記憶される。
【００７６】
外出モードスイッチ５７は、侵入者により、外出モードの解除が困難となるように親機４０の筐体の内側に設けられているが、外出モードスイッチ５７により設定された外出モードを、暗証番号やキーワードの入力により解除する（外出モードを非設定とする）ように構成しても良い。尚、外出モードスイッチ５７による外出モード設定直後は、人体センサ２８により検出された侵入者は、居住者である可能性が高い。また、帰宅した居住者は、外出モードを解除するまで、侵入者として検出されてしまう。よって、外出モードが設定されてからの暫時と、外出モード設定中においても人体センサ２８により人体が検出されてからの暫時とは、緊急通報を行うための処理をスキップするように、ハウスセキュリティシステム１を構成しても良い。
【００７７】
また、親機４０は、携帯電話５６を備えている。携帯電話５６は、親機４０の指示に基づき、親機４０に登録された電話番号（データ受信装置）に対して、検出データの送信や警報の通報を行うものである。ここで、データ受信装置は、居住者の所持する携帯電話１００或いは警備会社のパーソナルコンピュータ（以下単に「ＰＣ」と称す）１１０である。  携帯電話５６から携帯電話１００及びＰＣ１１０への検出データの送信は、親機４０の操作者により設定された時刻に、或いは登録された電話番号（携帯電話１００及びＰＣ１１０）からの送信要求に基づいて実行される。また、警報の通報は、検出データの異常判定の結果において、異常が判定された場合に、携帯電話１００及びＰＣ１１０に対し実行される。
【００７８】
この携帯電話５６から送信されるデータは、メール形式の文字情報、即ち、一般的にショートメールなどと称されるメールデータで構成されている。かかるメールデータは、親機４０により作成され、送信先の電話番号と共に親機４０から携帯電話５６に入力される。尚、携帯電話５６は、携帯電話１００及びＰＣ１１０と無線回線６０を介して接続されている（親機４０からのデータの発信が、無線回線６０により行われる）。このため、有線回線を介して接続されている場合のように、侵入者によって容易に回線が切断されるといったことがなく、異常の発生は、確実に携帯電話１００やＰＣ１１０に通報される。
【００７９】
上記のように構成された親機４０は、接続された子機２０にコマンドを送信し、該コマンドに基づく処理を子機２０に実行させる。例えば、親機４０は、子機２０に対し、検出データを要求する検出データ要求コマンドを送信し、子機２０に検出データの送信を実行させる。また、子機２０から送信された検出データに基づいて、その送信元の子機２０に動作を行わせる場合には（例えば、照明のオン−オフや窓の開閉などのスイッチ操作）、対応するコマンドを子機２０に送信し、子機２０にそのコマンドに応じた処理を実行させる。
【００８０】
尚、この親機４０（携帯電話５６）と携帯電話１００及びＰＣ１１０とを接続する電話回線（無線回線６０）には、図示を省略しているが、無線回線６０が接続される中継局や交換機が存在する。更には、電話会社のメールサーバが接続されている。このため、携帯電話１００が不通である場合には、通信状態が回復するまで（最大７２時間）親機４０から送信されたメールデータはメールサーバに保存され、通信状態が回復されると保存されたメールデータは送信先の携帯電話１００へ送信される。また、ＰＣ１１０は、電話回線を利用したインターネットに接続されており、電話回線（無線回線６０）を介して親機４０から送信されたメールデータを受信することができるように構成されている。
【００８１】
図２は、上記のように構成されたハウスセキュリティシステム１の電気的な構成を示したブロック図である。図２に示すように、ハウスセキュリティシステム１には、各種のデータを検出するためのセンサ２〜６が外部装置１０として子機２０に接続されている。
【００８２】
外部装置１０として子機２０に接続されるアナログセンサ２〜４は、その設置される周辺の状況をアナログデータで検出するセンサである。一般的に、センサは、その仕様（センサの種類）により検出対象が決まっている。温度センサ２は、温度（温度データ）を検出するものであり、検出された温度により火災を検知することができる。また、照度センサ３は明るさ（照度データ）を検出するものであり、湿度センサ４は、湿度（湿度データ）を検出するものである。かかるセンサ２〜４により室内の状況（環境）を検出することができる。
【００８３】
また、本実施例のハウスセキュリティシステム１では、外部装置１０として、デジタルセンサであるガス漏れセンサ５と、煙センサ６とが備えられている。ガス漏れセンサ５は、都市ガスや天然ガスなどの一般家庭で使用されるガス（ガスデータ）を検出するセンサである。また煙センサ６は、煙（煙データ）を検出して火災の発生を検知するものである。該センサ５，６は、後述の子機２０のフォトカプラ３０を介して子機２０に接続されている。更に、外部装置１０として、ブザー７が備えられており、このブザー７は、後述の子機２０のフォトモスリレー３１を介して子機２０に接続されている。
【００８４】
尚、かかるセンサ２〜６は、その監視エリアに適した種類のセンサが１の監視エリア毎（住居内の各部屋毎）に適宜選択され、その監視エリアに設置される子機２０に接続される。また、用いられるセンサとしては、上記したセンサ２〜６に限られるものでなく、例えば、窓からの侵入者を検知するため窓に取り付けられる振動センサ、室内の換気の目安を検出するＣＯ２センサ、要介護者がいる場合にその要介護者の状態を検知する介護センサなどが、必要に応じて適宜用いられる。
【００８５】
子機２０は、センサ２〜６，２８によって検出した検出データを親機４０に中継するための装置であり、図２に示すように、ワンチップマイコンとしてのＭＰＵ２１を備えている。
【００８６】
ＭＰＵ２１は、演算機能と制御機能とを備えた演算処理装置であり、制御プログラムを記憶するＲＯＭ２２と、制御プログラムの実行時に各種のデータを書き替え可能に記憶するＲＡＭ２３とを１チップに納めたものである。
【００８７】
ＲＯＭ２２は、子機２０を制御する制御プログラムや、各種固定値などを記憶するものである。後述するデータ変換処理（図９参照）や検出データ送信処理（図１０参照）のプログラムは、制御プログラムの一部として、このＲＯＭ２２に記憶されている。
【００８８】
書換え可能なメモリであるＲＡＭ２３は、送信メモリ２３ａを備えている。送信メモリ２３ａは、親機４０に送信するため検出データを一時的に記憶しておくためのメモリである。子機２０においては、検出データのサンプリングが、所定のサンプリングタイムに基づいて定常的に実行されおり、サンプリングされた検出データは、ＲＡＭ２３の所定のエリアに記憶される。そして、ＲＡＭ２３の所定のエリアに記憶される検出データは、親機４０から送信される検出データ要求コマンドを受信したタイミングで、この送信メモリ２３ａに書き込まれる。送信メモリ２３ａに記憶されるデータは、子機２０の識別番号が付加された後に、親機４０へ送信される。データの送信後は、この送信メモリ２３ａに記憶されるデータはクリアされる。
【００８９】
このＭＰＵ２１は、入出力ポート２５に接続されており、この入出力ポート２５には、Ａ／Ｄコンバータ３４と、人体センサ２８と、設定スイッチ２９と、フォトカプラ３０と、フォトモスリレー３１と、ＡＣスイッチ３２と、第１及び第２コネクタ２６，２７とが接続されている。
【００９０】
Ａ／Ｄコンバータ３４は、上記した温度センサ２、照度センサ３、湿度センサ４などのアナログセンサにより検出されたアナログデータをデジタルデータに変換するものである。Ａ／Ｄコンバータ３４により実行されるアナログデータの変換は、一般的な手法によって行われるものであり、その説明は省略する。
【００９１】
このＡ／Ｄコンバータ３４の入力には、上記した温度センサ２、照度センサ３、湿度センサ４が接続されている。このＡ／Ｄコンバータ３４には、各センサ２〜４を接続するポートが各センサ２〜４に対応して設けられており、各センサ２〜４はそれぞれ対応するポートに接続される。また、Ａ／Ｄコンバータ３４からは、各センサごとに予め定められた信号線によって各センサのデータが出力され、その出力データは、入出力ポート２５の各センサに対応付けらた入力ポートに入力される。これにより子機２０において、入力された検出データの所属（検出データの検出元センサ）が、認識される。
【００９２】
尚、このＡ／Ｄコンバータ３４により、温度センサ２、照度センサ３、湿度センサ４により検出されたアナログデータは、アナログセンサ近傍において、デジタルデータに変換され、デジタルデータの態様で親機４０送信される。このため、子機２０は、信号の劣化の小さい、良質な信号を親機４０に送信することができる。
【００９３】
人体センサ２８は、焦電素子を利用した熱型赤外線センサであり、監視エリア内からの赤外線を検出するものである。これにより、赤外線を放出する人体を検出することができ、監視エリア内にいる者を検知することができる。この人体センサ２８は、子機２０に内蔵されており、検出された人体検出データは、親機４０に送信される。
【００９４】
設定スイッチ２９は、子機２０の識別番号を設定するためのものである。本実施例では、親機４０には最大で２０台の子機２０が接続できるように構成されている。この設定スイッチ２９は、かかる２０台の子機２０のそれぞれに識別番号が付加できるように、１〜２０の番号を入力する２０個のスイッチにより構成される。子機２０においては、この設定スイッチ２９の押下されたスイッチの位置によって、１〜２０の番号が（電気的に）認識されるようなっている。各子機２０においては、それぞれ異なる番号が付与されるように、別のスイッチが押下される。そして、この設定スイッチ２９により付与された番号が、子機２０の識別番号となる。親機４０においては、後述するように、この設定スイッチ２０により子機２０に設定された識別番号と、親機４０において管理される識別番号とを整合させて、子機２０の各種設定（データ入力）が行われる。
【００９５】
フォトカプラ３０は、接続される装置から送信された電気信号を光信号に変換して入力する装置である。このフォトカプラ３０には、上記したようにガス漏れセンサ５と煙センサ６とが接続されている。フォトカプラ３０は、このガス漏れセンサ５と煙センサ６とから送信されたデジタル信号を、光信号に変換して（発光部において）発光させる。発光された光は、発光部と所定距離隔てて配設される受光部により受光され、再び電気信号に変換されて入出力ポート２５に入力される。ここで、発光部と受光部とが非接触であるため、信号の伝送経路が一部非接触で形成されることとなる。これによれば、入力されるデジタル信号に大きなノイズが載っていても（落雷などによる大電圧の負荷）、これを遮断することができる。
【００９６】
フォトモスリレー３１は省電力のリレーであり、ブザー７が接続されている。ブザー７は、子機２０に接続されるセンサ２〜６，２８により検出された検出データが異常であった場合などに、親機４０の命令によって動作し、ブザー音を出力する。ここで、ブザー７は、異常（警報）が解消されるまでブザー音を出力するため消費電力が大きい。このため、フォトモスリレーを使用して消費電力を抑制している。
【００９７】
ＡＣスイッチ３２は、子機２０に接続されるセンサ２〜６，２８の検出データに基づいて、接続される各種装置のスイッチング動作を行うものである。このスイッチング動作は、親機４０から送信されるコマンドに基づいて実行される。これにより、例えば、ＡＣスイッチ３２に照明器具を接続すれば、人体センサ２８の検出データに基づいて、該照明器具を点灯させることができる。また、窓の開閉装置をＡＣスイッチ３２に接続すれば、その窓を湿度センサ４の検出データに基づいて開閉することができる。
【００９８】
第１コネクタ２６は、この子機２０を親機４０または、親機側に位置する子機２０に接続するためのコネクタである。また、第２コネクタ２７は、親機側と反対側に位置する子機２０を接続するためのコネクタである。子機２０は、かかる２のコネクタに２６，２７には有線回線３５が接続され、この有線回線３５を介して、他の子機２０または、親機４０と接続される。これにより、上記したように複数の子機２０を１のデータ送信経路に連なるように接続することができる。
【００９９】
親機４０は、子機２０から送信される検出データに基づいて、異常の有無を判定すると共に、外出先の居住者（携帯電話１００）へ、在宅の居住者の状態（行動の履歴）に関する情報や屋内の環境に関する情報を提供する装置である。この親機４０は、ワンチップマイコンとしてのＭＰＵ４１と、フラッシュメモリ４５と、ＥＥＰＲＯＭ４６と、入出力ポート４７と、ＬＣＤ４８と、入力装置４９と、外出モード設定スイッチ５７と、ＬＥＤ５１と、ブザー５２と、第１コネクタ５３と、第２コネクタ５４と、インターフェース５５と、携帯電話５６とを備えている。
【０１００】
ＭＰＵ４１は、演算機能と制御機能とを備えた演算処理装置であり、制御プログラムを記憶するＲＯＭ４２と、制御プログラムの実行時に各種のデータを書き替え可能に記憶するＲＡＭ４３と、リアルタイムクロック（以下単に「ＲＴＣ」と称す）４４とを１チップに納めたものである。ＭＰＵ４１は、所定のタイミング毎（例えば略１秒以内に全子機２０からの検出データが取得できるように）、各子機２０へ順番に検出データの送信を要求する検出データ要求コマンドを送信する。この送信した検出データ要求コマンドに応じて、その送信先の子機２０から検出データが送信されるまで、ＭＰＵ４１は、他の子機２０へのコマンド送信を所定時間待機する。これにより、複数の子機２０により、１のデータ送信経路（１の有線回線３５）を共有しても、信号が衝突することはない。
【０１０１】
ＲＯＭ４２は、親機４０を制御する制御プログラムや、各種固定値などを記憶するものである。後述する管理処理（図５参照）やデータ受信処理（図６参照）のプログラムは、制御プログラムの一部として、このＲＯＭ４２に記憶されている。また、各センサ２〜６，２８によって検出された検出データが、異常値であるか否かを判定するための判定データを、各センサ毎にそれぞれ記憶している。
【０１０２】
書換え可能なメモリであるＲＡＭ４３は、受信バッファ４３ａと送信バッファ４３ｂとを備えている。受信バッファ４３ａは、各子機２０から送信された検出データを一時的に記憶しておくための緩衝用のメモリである。親機４０には、各子機２０から頻繁に信号やデータが送信されるが、ＭＰＵ４１の処理速度に比してデータ受信速度は遅い。このため、データ受信を行いつつ、そのデータ処理をＭＰＵ４１に実行させると、データ受信の処理が影響し、ＭＰＵ４１の処理効率が低下する。しかし、受信したデータを、一旦、受信バッファ４３ａへ保存することにより、受信データの処理をＭＰＵ４１に効率的に実行させることができる。
【０１０３】
送信バッファ４３ｂは、携帯電話１００やＰＣ１１０に送信するメールデータ（検出データや警報）を一時的に記憶するためのメモリである。親機４０からは、定期的、或いは異常発生時に、センサ２〜６，２８で検出された検出データが（異常発生時には、異常を通報する情報が付加された検出データが）、携帯電話１００或いはＰＣ１１０に送信される。ここで、送信された検出データは、受信される携帯電話１００或いはＰＣ１１０において、視覚的に認識可能な文字情報でなくてはならない。また、電話回線を介して送受信できる所定のプロトコルに従って記述されていなくてはならない。このため、検出データを送信する際には、該検出データ（警報）は、メールデータの形式に変換された後、この送信バッファ４３ｂに書き込まれる。この送信バッファ４３ｂに書き込まれたデータは、第２コネクタ５４を介して携帯電話５６に入力される。
【０１０４】
ＲＴＣ４４は、年・月・日・曜日・時間・分・秒の時の計測を行うＩＣである。ＭＰＵ４１は、このＲＴＣ４４の計測値に基づいて現在の時刻を認識する。これにより、現在の時刻が、検出データの送信（定時送信）を行う時刻であるか否かを判断することができる。
【０１０５】
また、子機２０から送信された人体センサ２８の検出データが人体を検知した値であると、ＲＴＣ４４の計測値からその受信時刻が認識され、検出データ送信元の子機２０に対応する子機メモリ４６ｆ（子機メモリ４６ｆ１〜４６ｆ２０のいずれか）に書き込まれる。人体センサ２８によるデータの検出時刻と、親機４０における検出データの受信時刻との時間差は僅かであるので、本実施例においては、親機４０におけるデータ受信時刻を、そのデータの人体センサ２８での検出時刻としている。尚、子機２０にＲＴＣを設け、子機のＲＴＣにより人体センサ２８のデータ検出時刻を確定するようにしても良い。
【０１０６】
このＲＴＣ４４には、親機４０の電源オフ後に、そのＲＴＣ４４へバックアップ用の電圧を供給するバッテリー回路４４ａが接続されている。ＲＴＣ４４は、このバッテリー回路４４ａにより、親機４０の電源のオフ後にも時の計測を継続することができる。
【０１０７】
フラッシュメモリ４５は、書換え可能な不揮発性のメモリである。このフラッシュメモリ４５は、親機４０に初期状態で入力（インストール）されていないプログラムを、親機４０に入力（インストール）するために設けられたプログラム記憶用のメモリである。このフラッシュメモリ４５にプログラムが記憶されていると、そのプログラムは、ＲＯＭ４２に記憶されるプログラムに優先して使用される。これにより、親機４０を制御するプログラムをバージョンアップすることなどができる。尚、このフラッシュメモリ４５への書き込みは、インターフェース５５を介して接続されるＰＣなどから実行される。
【０１０８】
ＥＥＰＲＯＭ４６は、書換え可能な不揮発性のメモリであり、親機４０において設定される（入力装置４９の操作により入力される）各種設定値は、このＥＥＰＲＯＭ４６に不揮発に記憶され、電源オフ後も保持される。このＥＥＰＲＯＭ４６は、親機４０の設定値を記憶する外出設定フラグ４６ｇ、メール送信フラグ４６ａ、定時送信フラグ４６ｂ、セキュリティモードフラグ４６ｃ、電話番号メモリ４６ｄ、送信時刻メモリ４６ｅと、子機２０の設定値や子機２０から送信される検出データを記憶する第１〜第２０子機メモリ４６ｆ１〜４６ｆ２０とを備えている。
【０１０９】
外出設定フラグ４６ｇ、メール送信フラグ４６ａ、定時送信フラグ４６ｂ、セキュリティモードフラグ４６ｃなどのフラグは、所定の状態を判別するために設けられるものである。このフラグのオンとオフとにより異なる状態がＭＰＵ４１に認識される。具体的には、外出設定フラグ４６ｇは、上記した外出モード設定スイッチ５７により、オンとオフとが設定されるフラグである。外出モード設定スイッチ５７が一端部に位置していると、外出モードが設定状態にあることを示す信号が入力され、その信号入力に基づいて、外出設定フラグはオンされる。外出モード設定スイッチ５７が他端部に位置していると、外出モードが解除状態にあることを示す信号が入力され、その信号入力に基づいて、外出設定フラグはオフされる。
【０１１０】
メール送信フラグ４６ａは、メールアドレスを有するデータ受信装置（ＰＣ１１０）へのメール送信が設定されているか否かを示すものである。このメール送信フラグ４６ａがオンであると、メールアドレスが親機４０に登録されているＰＣ１１０へ、インターネットを介した検出データの送信（定時送信及び緊急通報）が実行される。一方、メール送信フラグ４６ａがオンであると、ＰＣ１１０へ、かかる検出データの送信は実行されない。このメール送信フラグ４６ａのオンとオフとは、入力装置４９を操作することにより実行される。このメールアドレスは、後述する電話番号メモリ４６ｄに記憶されている。
【０１１１】
定時送信フラグ４６ｂは、検出データの定時送信の実行と非実行とを指定するためのフラグである。この定時送信フラグ４６ｂがオンであると、検出データの定時送信が、登録された電話番号（メイルアドレス）に対して実行される。この定時送信フラグ４６ｂのオンとオフとは、メール送信フラグ４６ａと同様に、入力装置４９を操作して実行される。
【０１１２】
セキュリティモードフラグ４６ｃは、ＭＰＵ４１にハウスセキュリティシステム１の運転モードを報知するためのフラグである。親機４０は、このフラグ４６ｃがオンである場合にのみ、セキュリティを確保するべく後述の管理処理（図５参照）やデータ受信処理（図６参照）を実行する。このセキュリティモードフラグ４６ｃは、入力装置４９において所定の操作（例えば開始ボタンの押下など）がなされることによりオンされる。また、このセキュリティモードフラグ４６ｃは、入力装置４９において解除操作（例えば、解除ボタンの入力や暗証番号の入力により）が実行されるとオフされ、セキュリティモードが解除される。
【０１１３】
住居などの建造物のセキュリティは、主として留守中の防犯、防災を実施するためのものである。また、本実施例のハウスセキュリティシステム１は、外出中の居住者が、在宅する居住者の行動履歴を把握することにより、その状態を確認できるように構成されている。このため、仕事中の保護者が、先に帰宅した留守番中の子供の状態を確認できるのである。
【０１１４】
しかし、居住者全員が帰宅した場合には、かかるセキュリティが不要となることが多い。このため、本実施例のハウスセキュリティシステム１では、居住者がセキュリティモードを解除できるようになっている。
【０１１５】
電話番号メモリ４６ｄは、親機４０に登録される電話番号やメールアドレスを記憶するためのメモリである。この電話番号メモリ４６ｄには、複数の電話番号（メールアドレス）が記憶されるようになっている。本実施例では、携帯電話１００の電話番号及びＰＣ１１０のメールアドレスが記憶されている。定時送信および緊急通報は、この電話番号メモリ４６ｄに記憶される電話番号やメールアドレス宛に実行される。また、この電話番号メモリ４６ｄに記憶される電話番号は、親機４０に検出データの問い合わせをすることのできる問い合わせ番号となっている。かかる電話番号から、親機４０に備えられた携帯電話５６の電話番号が発呼されると、ＭＰＵ４１により、その電話番号に検出データを送信するための処理（応答データ送信処理、Ｓ２３）が実行される。尚、電話番号メモリ４６ｄに記憶させる電話番号やメールアドレスの入力は、入力装置４９を操作することにより実行される。
【０１１６】
送信時刻メモリ４６ｅは定時送信を実行する時刻を記憶するメモリである。定時送信は、この送信時刻メモリ４６ｅに記憶される時刻に基づいて実行される。尚、この送信時刻メモリ４６ｅには、親機４０の入力装置４９の所定の操作により入力された時刻が書き込まれる。
【０１１７】
第１〜第２０子機メモリ４６ｆ１〜４６ｆ２０は、各子機２０のそれぞれに対応して設けられ、各子機２０のデータ（設定値）と、対応する子機２０から送信される検出データとを記憶するためのメモリである。このため、該子機メモリ４６ｆ１〜４６ｆ２０は、親機４０に接続し得る子機２０の数だけ設けられている。この第１〜第２０子機メモリ４６ｆ１〜４６ｆ２０には、入力装置４９を操作することによりデータ（設定値）が書き込まれる。
【０１１８】
この第１〜第２０子機メモリ４６ｆ１〜４６ｆ２０のメモリの構成を、図３を参照して説明する。図３は、子機メモリ４６ｆの第１子機メモリ４６ｆ１のメモリの構成を示した図である。第１子機メモリ４６ｆ１は、識別番号「１」に対応する子機２０の情報を記憶するメモリである。尚、他の子機メモリ４６ｆ２〜４６ｆ２０は、識別番号「２」〜「２０」にそれぞれ対応する子機２０の情報が記憶されるものであり、第１子機メモリ４６ｆ１と同様に構成されるので、その説明は省略する。
【０１１９】
図３に示すように、第１子機メモリ４６ｆ１は、配設箇所メモリ４６ｆ１ａと、時刻メモリ４６ｆ１ｂと、人体センサメモリ４６ｆ１ｃ、温度センサメモリ４６ｆ１ｄと、照度センサメモリ４６ｆ１ｅと、湿度センサメモリ４６ｆ１ｆと、ガスセンサメモリ４６ｆ１ｇと、煙センサメモリ４６ｆ１ｈとを備えている。
【０１２０】
第１〜第２０子機メモリ４６ｆ１〜４６ｆ２０のそれぞれには、子機２０に与えられる１の識別番号に対応する識別番号が予め記憶されている。この第１子機メモリ４６ｆ１は、識別番号「１」の子機２０の情報を記憶するためのメモリであり、各メモリ４６ｆ１ａ〜４６ｆ１ｈには、識別番号「１」の子機２０の情報がそれぞれ記憶されている。
【０１２１】
配設箇所メモリ４６ｆ１ａは、子機２０の配設箇所の情報を記憶するメモリである。上記したように、配設箇所の情報は、入力装置４９の操作により入力され、配設箇所メモリ４６ｆ１ａには、識別番号「１」を付与された子機２０の配設箇所の情報「玄関」が記憶されている。
【０１２２】
時刻メモリ４６ｆ１ｂは、識別番号「１」の子機２０に備えられた人体センサ２８の検出データ（人体検出データ）が、人（人体）を検知した値である場合に、その検出時刻の情報を記憶するメモリである。この時刻メモリ４６ｆ１ｂには、新たに人体センサ２８が人体を検知する毎に、その検出時刻によって先に記憶される検出時刻の情報が更新される。つまり、識別番号「１」の子機２０の人体センサ２８が、最後に人体を検知した検出時刻が、この時刻メモリ４６ｆ１ｂに保持される。
【０１２３】
人体センサメモリ４６ｆ１ｃ、温度センサメモリ４６ｆ１ｄ、照度センサメモリ４６ｆ１ｅ、湿度センサメモリ４６ｆ１ｆ、ガスセンサメモリ４６ｆ１ｇ、煙センサメモリ４６ｆ１ｈは、各センサによって検出された人体検出データ、温度データ、照度データ、湿度データ、ガスデータ、煙データをそれぞれ記憶するメモリである。かかるメモリ４６ｆ１ｃ〜４６ｆ１ｈの値は、親機４０に新たに検出データが受信される毎に、その受信した検出データによって更新される。なお、親機４０は、データ読取り時間（検出データ要求コマンドの各子機２０への送信）の間隔を短時間（例えば、０．１秒など）にすることにより、近似的にリアルタイムの検出データが、各子機メモリ４６ｆに記憶されることとなる。
【０１２４】
尚、第１〜第２０子機メモリ４６ｆ１〜４６ｆ２０のそれぞれにおいて、いずれのセンサのデータが記憶されるかは、入力装置４９の入力操作により指定される。つまり、各子機２０にそれぞれ備えられたセンサの種類は、子機２０の識別番号に対応つけて、入力装置４９から入力される。具体的には、指定ボタンにより指定される「１」〜「２０」の数値によって、識別番号が指定され、その後に入力されるセンサの種類が、先に入力された識別番号の子機２０に備えられたセンサとして対応する第１〜第２０子機メモリ４６ｆ１〜４６ｆ２０に記憶される。つまり、第１〜第２０子機メモリ４６ｆ１〜４６ｆ２０のそれぞれにおいて、入力されたセンサの種類に対応するメモリが割り付けられる。
【０１２５】
各子機２０から親機４０に送信されるデータには、送信元子機２０の識別番号が付与されており、また、１の子機２０から送信される各センサ２〜６，２８の検出データには、いずれのセンサのデータであるかを示すコード（センサコード）が付与されている。これにより、親機４０は、受信した検出データを的確なメモリへと書き込むことができる。
【０１２６】
図２に戻って説明する。上記したＭＰＵ４１、フラッシュメモリ４５、ＥＥＰＲＯＭ４６はバスライン５０を介して相互に接続されており、このバスライン５０は、入出力ポート４７にも接続されている。入出力ポート４７には、バスライン５０のほかにＬＣＤ４８、入力装置４９、外出モード設定スイッチ５７、ＬＥＤ５１、ブザー５２、第１コネクタ５３、第２コネクタ５４、インターフェース５５が接続されている。
【０１２７】
第１コネクタ５３は、親機４０と子機２０とを接続するためのコネクタである。この第１コネクタ５３は、一端に子機２０が接続された複数の有線回線３５を接続可能に構成されている。第２コネクタ５４は、親機４０本体と親機４０に備えられた携帯電話５６とを接続するためのコネクタである。携帯電話５６は、この第２コネクタ５４を介して、親機４０の本体に接続される。
【０１２８】
携帯電話５６は、携帯電話１００或いはＰＣ１１０へとデータを送信するための装置であり、自動ダイヤル回路を備えている。ＭＰＵ４１は、定時送信或いは緊急通報を実行する際に、上記した電話番号メモリ４６ｄに記憶される電話番号（メールアドレス）を読み出し、その電話番号と携帯電話１００或いはＰＣ１１０へ送信するメールデータとを携帯電話５６に送信する。携帯電話５６は、親機４０から送信された電話番号とメールデータとを受信すると、受信した電話番号を自動ダイヤル回路により発呼するとともに、その回線が閉結されるとメールデータを送信する。これにより、親機４０から、検出データが無線回線６０を介して送信先の携帯電話１００或いはＰＣ１１０へと送信されるのである。
【０１２９】
また、携帯電話５６は、呼出信号が着呼すると（データの送信要求）、着呼信号と呼出元の電話番号とを応答要求コマンドとしてＭＰＵ４１に送信する。これに基づいて、親機４０では、登録された電話番号からの呼出であるか否かが判断される。そして、登録された電話番号からの呼出（正当な応答要求コマンドの受信）であった場合には、応答データ送信処理（Ｓ２３）が実行される。
【０１３０】
図４は、応答データ送信処理（Ｓ２３）によって携帯電話５６から、携帯電話１００に送信された送信データが携帯電話１００の表示装置に表示された状態を模式的に示した図である。図４（ａ）には、在宅者がいないことを示す外出モードの設定時に送信されたデータが示されており、図４（ｂ）には、（在宅者がいることを示す）外出モードの非設定時に送信されたデータが示されている。尚、送信データが携帯電話１００の１の表示画面に表示し得ない場合には、１の画面にはその一部が表示され、画面をスクロールさせることにより、全送信データが順次表示される。
【０１３１】
図４（ａ）は、携帯電話１００からのデータ送信要求に応答して、親機４０から送信された２００２年９月２８日１７：００の住居内の情報を示した表示画面６０である。この表示画面６０においては、その最上部に、データの送信日時が「２００２／０９／２８  １７：００」が表示されている。このデータの送信日時の下方には、外出設定フラグ４６ｇの情報の表示される表示欄６１が設けられており、外出設定フラグ４６ｇがオンされていることをしめす「外出中」が表示されている。
【０１３２】
表示欄６１の下方には、各子機の配設箇所（監視エリア）を示す表示エリア６２が設けられている。この表示エリア６２には、表示画面の上方から順に識別番号の小さな子機２０の配設箇所がそれぞれ表示される表示欄６２ａ〜６２ｈが設けられている。
【０１３３】
表示欄６２ａには、「０１）玄関」が表示され、表示欄６２ｂには、「０２）リビング室」、表示欄６２ｃには「０３）台所」、・・・、表示欄６２ｈには、「０８）２階子供部屋」と表示されている。
【０１３４】
各表示欄６２ａ〜６２ｈのそれぞれの下方には、人体センサ２８が人体を検知した検出時刻の情報が表示される時刻表示欄６３と、各子機２０に備えられた（監視エリアに設けられた）人体センサ２８以外の各センサ２〜６の検出データが表示される環境データ表示欄６４とが設けられている。図４（ａ）においては、各時刻表示欄６３に表示される検出時刻の情報は、午前８時台の時刻を示している。これにより、携帯電話１００の所有者は、２００２年９月２８日１７：００において、誰も帰宅していないという情報を得ることができる。また、環境データ表示欄６４に表示される各データから、住居内の環境に異常がないことを確認することができる。
【０１３５】
図４（ｂ）は、携帯電話１００からのデータ送信要求に応答して、親機４０から送信された２００２年９月２８日１７：４５の住居内の情報を示した表示画面６０である。この表示画面６０においては、その最上部に、データの送信日時が「２００２／０９／２８  １７：４５」が表示されている。このデータの送信日時の下方の表示欄６１には、外出設定フラグ４６ｇがオフされていることをしめす「在出中」が表示されている。
【０１３６】
表示欄６１の下方の表示エリア６２には、図４（ａ）と同様に表示欄６２ａ〜６２ｈが設けられている。各表示欄６２ａ〜６２ｈのそれぞれの下方には、人体センサ２８が人体を検知した検出時刻の情報が表示される時刻表示欄６３と、各子機２０に備えられた（監視エリアに設けられた）人体センサ２８以外の各センサ２〜６の検出データが表示される環境データ表示欄６４とが設けられている。
【０１３７】
図４（ｂ）においては、表示欄６２ａの「０１）玄関」に対応する時刻表示欄６３に検出時刻の情報「０９／２８  １７：３０」が表示されており、居住者の誰かが帰宅したことが示されている。
【０１３８】
また、表示欄６２ｃの「０３）台所」に対応する時刻表示欄６３には、検出時刻の情報「０９／２８  １７：３２」が表示されており、表示欄６２ｄの「０４）１階廊下」に対応する時刻表示欄６３には、検出時刻の情報「０９／２８  １７：３４」が表示されており、表示欄６２ｇの「０７）２階廊下」に対応する時刻表示欄６３には、検出時刻の情報「０９／２８  １７：３５」が表示されており、表示欄６２ｈの「０８）２階子供部屋」に対応する時刻表示欄６３には、検出時刻の情報「０９／２８  １７：４５」が表示されている。
【０１３９】
これにより、１７：３０に帰宅した子供が、台所によった後、１階廊下、２階廊下を経由して、現在２階の子供部屋にいるという情報が得られることとなる。つまり、出先にいる家族が、留守番をする居住者の状態（行動履歴）を確認することができるのである。
【０１４０】
次に、図５〜図１０のフローチャートを参照して、上記したハウスセキュリティシステム１で実行される各処理について説明する。図５は、親機４０で実行される管理処理のフローチャートである。管理処理は、主として、子機２０へ検出データの送信を要求する処理である。
【０１４１】
この管理処理では、まず、セキュリティモードフラグ４６ｃがオンされているか否かを確認する（Ｓ１）。本実施例のハウスセキュリティシステム１は、居住者（所有者）の操作により、セキュリティモードは任意に解除できるようになっている。Ｓ１の処理で確認した結果、セキュリティモードフラグ４６ｃがオフであれば（Ｓ１：Ｎｏ）、この管理処理を終了する。一方、セキュリティモードフラグ４６ｃがオンであれば（Ｓ１：Ｙｅｓ）、正当な応答要求コマンドを受信したか否かを確認する（Ｓ２）。その結果、正当な応答要求コマンドの受信であれば（Ｓ２：Ｙｅｓ）、Ｓ３の処理をスキップし、Ｓ４の処理に移行する。
【０１４２】
携帯電話１００からの呼出信号の着呼は、住居内の環境や居住者の状態に関するデータの送信要求である。携帯電話５６に呼出信号が着呼することにより、応答要求コマンドは、携帯電話５６から親機４０へと送信される。携帯電話５６からは、呼出信号が着信する度に応答要求コマンド（着呼信号と呼出元の電話番号）が親機４０に送信されるが、親機４０においては、電話番号メモリ４６ｄに記憶（登録）されている電話番号にのみ検出データを送信するよう設定されている。このため、親機４０では、携帯電話５６からの応答要求コマンドを受信すると、携帯電話５６を呼出した電話番号が、電話番号メモリ４６ｄに登録されている電話番号か否かを判別し、登録された電話番号であった場合にのみ応答要求コマンドを正当な応答要求コマンドとして、この管理処理を続行する。
【０１４３】
また、Ｓ２の処理で確認した結果、正当な応答要求コマンドの受信でなかった場合には（Ｓ２：Ｎｏ）、データ読取時間か否かを確認する（Ｓ３）。確認の結果、データ読取時間でなければ（Ｓ３：Ｎｏ）、この管理処理を終了する。一方、Ｓ３の処理で確認した結果、データ読取時間であれば（Ｓ３：Ｙｅｓ）、検出データ要求コマンドに子機２０の識別番号を付加し、各子機２０へ順番に送信すし（Ｓ４）、この管理処理を終了する。この管理処理により、親機４０から子機２０へのデータ要求は、所定時間毎に定期的に行われる一方で、携帯電話５６を介して接続される携帯電話１００などからのデータ送信要求に応じて実行される。
【０１４４】
図６は、親機４０で実行されるデータ受信処理のフローチャートである。データ受信処理は、親機４０から子機２０に対してなされたデータの送信要求（検出データ要求コマンド）に基づいて、子機２０から送信される検出データを受信し、その検出データが異常を示しているか否かを判断する処理である。
【０１４５】
このデータ受信処理においては、まず、子機２０から送信された検出データを受信したか否かを確認する（Ｓ１１）。その結果、子機２０から送信された検出データを受信していれば（Ｓ１１：Ｙｅｓ）、受信した検出データを受信バッファ４３ａに書き込む（Ｓ１２）。そして、受信した検出データの内、人体センサの検出データ（人体検出データ）の値は人体を検出した値であるか否かを確認する（Ｓ１３）。確認の結果、人体センサの検出データが人体を検出した値でなければ（Ｓ１３：Ｎｏ）、Ｓ１４の処理をスキップして、その処理をＳ１５の処理に移行する。
【０１４６】
一方、Ｓ１３の処理で確認した結果、人体センサの検出データが人体を検出した値であれば（Ｓ１３：Ｙｅｓ）、ＲＴＣ４４の値を検出データ送信元の子機２０の識別番号により指定される子機メモリ４６ｆの時刻メモリに書き込む（Ｓ１４）。これにより、子機メモリ４６ｆの時刻メモリに先に記憶される検出時刻の情報は更新される。その後、受信バッファ４３ｄに記憶される各センサの検出データを、その識別番号により指定される子機メモリ４６ｆの対応するメモリにそれぞれ書き込む（Ｓ１５）。尚、各検出データがいずれのセンサに対応するデータであるかは、検出データに付加されたセンサの種類を示すコード（センサコード）に基づいて判別される。また、時刻メモリには、人体検出データが人体を検知した値である場合にのみ、その検出時刻の情報が書込まれて、先のデータが更新されたが、人体メモリには、人体検出データが人体を検知した値である場合にも否である場合も、その検出データは、人体センサメモリに書込まれる。
【０１４７】
そして、検出データが異常を示しているか否かを判定する異常判定処理（Ｓ１６）を実行する。この異常判定処理（Ｓ１６）の実行後は、温度センサ２、照度センサ３、湿度センサ４、ガス漏れセンサ５、煙センサ６、人体センサ２８の検出データが異常を示しているか否かを確認する（Ｓ１７）。ここで、異常が確認されると（Ｓ１７：Ｙｅｓ）、携帯電話１００などの予め登録された連絡先に警報を通報する緊急通報処理を実行し（Ｓ２５）、その後、各処理（Ｓ２２）を実行して、このデータ受信処理を終了する。一方、異常が確認されなければ（Ｓ１７：Ｎｏ）、全子機２０からのデータ受信が終了したか否かを確認し（Ｓ１８）、終了していれば（Ｓ１８：Ｙｅｓ）、Ｓ１１〜Ｓ１８の一連の処理が正当な応答要求コマンドに基づいて実行されたものであるか否か、即ち、正当な応答要求コマンドを受信しているか否かを確認し（Ｓ１９）、正当な応答要求コマンドに基づいて実行された処理であれば（Ｓ１９：Ｙｅｓ）、検出データをデータ送信要求元の携帯電話１００に送信するべく携帯電話５６に出力する応答データ送信処理を実行して（Ｓ２３）、このデータ受信処理を終了する。
【０１４８】
また、応答要求コマンドに基づいて実行された処理でなければ（Ｓ１９：Ｎｏ）、更に、送信時刻メモリ４６ｅに記憶される定時送信時刻が到来したか否かを確認する（Ｓ２０）。ここで、定時送信時刻が到来していなければ（Ｓ２０：Ｎｏ）、各処理（Ｓ２２）を実行し、このデータ受信処理を終了する。一方、定時送信時刻が到来していれば（Ｓ２０：Ｙｅｓ）、定時送信処理を実行する（Ｓ２１）。この定時送信処理（Ｓ２１）は、居住者により定時送信が指定されている場合（定時送信フラグ４６ｂがオン）である場合に、読取った検出データや異常の有無などを登録された携帯電話１００などに送信する処理である。この定時送信処理（Ｓ２１）の実行後は、各処理（Ｓ２２）を実行し、このデータ受信処理を終了する。
【０１４９】
各処理（Ｓ２２）は、子機２０から送信された検出データに基づいて、その検出データの送信元子機２０に所定の動作を行わせるためのコマンドを送信する処理である。例えば、この各処理（Ｓ２２）では、異常が検出されたセンサに接続される子機２０に対し、ブザー７を呼動させるコマンドを送信する処理や、ＡＣスイッチ３２を動作させるコマンドを送信する処理などが例示される。
【０１５０】
加えて、Ｓ１８の処理で確認した結果、全子機２０からのデータ受信が終了していなければ（Ｓ１８：Ｎｏ）、その処理をＳ１１の処理に移行する。また、Ｓ１１の処理において確認した結果、受信予定の子機２０からの検出データを受信しなかった場合には（Ｓ１１：Ｎｏ）、エラー判定処理を実行する（Ｓ２４）。
【０１５１】
このエラー判定処理（Ｓ２４）は、子機２０の異常を検出する処理である。親機４０から送信された検出データ要求コマンドに基づいて、子機２０からは検出データが送信されるが、所定時間内に子機２０からの検出データを受信できなかった場合、親機４０は、子機２０からの検出データが未受信であると判断し、このエラー判定処理（Ｓ２４）を実行する。エラー判定処理（Ｓ２４）では、検出データが未受信である子機２０に対し、接続状態を確認するコマンドの送信や、検出データ要求コマンドを再度送信する処理を実行した後、このデータ受信処理を終了する。
【０１５２】
尚、かかる処理の実行の後においても検出データが未受信であれば、該子機２０に対してエラーを判定する。エラー判定処理（Ｓ２４）においてエラーが判定されると、そのエラー判定された子機２０からは、０の検出データが送信されたものとしてＳ１１以降の処理を実行する。尚、このエラー判定処理において、データ受信のための待機時間は、他の処理に大きな支障を与えない時間、例えば略０．２秒〜０．３秒に設定されている。
【０１５３】
また、エラー判定処理（Ｓ２４）により、子機２０にエラーが判定された場合には、異常判定処理（Ｓ１６）において、異常有りが判定され、実際の状況が異常事態でなくとも、緊急通報処理（Ｓ２５）が実行される。これにより、データの受信者（携帯電話１００の所持者など）は、エラーの発生を知ることができる。
【０１５４】
図７は、図６のデータ受信処理で実行される異常判定処理（Ｓ１６）のフローチャートである。異常判定処理（Ｓ１６）は、上記したように、検出データが異常を示しているか否かを判定する処理であり、子機２０から送信される検出データを予めＲＯＭ４２に記憶されている標準値と比較して、検出データの異常の有無を判定するための処理である。
【０１５５】
この異常判定処理（Ｓ１６）では、まず、Ｓ１５の処理で検出データの書込まれた第１〜第２０子機メモリ４６ｆ１〜４６ｆ２０に記憶される各検出データを読出す（Ｓ３１）。そして、読出した検出データに対応するセンサの内、温度センサ２、ガス漏れセンサ５、煙センサ６に対応する標準値、即ち判定データをＲＯＭ４２から読み出す（Ｓ３３）。
【０１５６】
次に、外出設定フラグ４６ｇはオンされているか否かを確認し（Ｓ３４）、外出設定フラグ４６ｇがオンされていれば（Ｓ３４：Ｙｅｓ）、外出中に対応する人体センサ２８の判定データをＲＯＭ４２から読出す（Ｓ３５）。その後、読出した判定データと対応する検出データとをそれぞれ比較して、この異常判定処理（Ｓ１６）を終了する。一方、Ｓ３４の処理で確認した結果、外出設定フラグ４６ｇがオフであれば（Ｓ３４：Ｎｏ）、在宅中に対応する人体センサ２８の判定データをＲＯＭ４２から読出し（Ｓ３８）、その後、その処理をＳ３６の処理に移行する。
【０１５７】
本実施例のハウスセキュリティシステム１では、セキュリティモードが解除されていなければ、居住者が在宅であっても、外出中であっても、人体の検知を実行する。ここで、居住者が在宅中（外出モード解除）にある場合には、人体センサ２８で人体が検知されても、侵入者ではないので、緊急通報処理（Ｓ２５）を非実行とする必要がある。このため、外出設定フラグ４６ｇがオフである場合には、人体センサ２８の検出データが人体を検知した値であっても、異常判定処理（Ｓ１６）においては、異常なしと判定される必要がある。また、外出設定フラグ４６ｇがオンである場合には、人体センサ２８の検出データが人体を検知した値であれば、異常判定処理（Ｓ１６）においては、異常ありと判定される必要がある。
【０１５８】
故に、人体センサ２８の検出データに対応する判定データは２種類用意されており、外出設定フラグ４６ｇの状態に応じて、対応する判定データが使用される。これによれば、居住者が在宅の場合には在宅の居住者の行動に関する情報提供を実行でき、また、居住者が不在の場合には、侵入者の検知により緊急通報を的確に実行することができる。
【０１５９】
図８は、図６のデータ受信処理の中で実行される応答データ送信処理（Ｓ２３）のフローチャートである。応答データ送信処理は、上記したように、データ送信要求元の携帯電話１００へ、各子機２０で検出された検出データを出力するべく、各子機メモリ４６ｆに記憶されるデータを携帯電話５６へ出力する処理である。
【０１６０】
この応答データ送信処理（Ｓ２３）では、まず、各子機メモリ４６ｆに記憶されている検出データ（人体検出データ、温度データ、照度データ、湿度データ、ガスデータ、煙データの各検出データ及び検出時刻の情報）を読出し（Ｓ４１）、読出した各検出データに、対応するセンサの種類を示すセンサコードを付加する（Ｓ４２）。そして、センサコードが付加された検出データ（各検出データ及び検出時刻の情報）に、更に、子機２０の識別番号と、配設箇所メモリに記憶される配設箇所の情報とを付加し、メールデータの形式で送信バッファ４３ｂに書込む（Ｓ４３）。これにより、人体センサ２８が各監視エリアにおいて最後に人を検知した検出時刻の情報と、現状の環境を示す各情報（温度データなど）とが送信バッファ４３ｂに書込まれることとなる。
【０１６１】
その後、外出設定フラグ４６ｇがオンされているか否かを確認し（Ｓ４４）、その結果、外出設定フラグ４６ｇがオンであれば（Ｓ４４：Ｙｅｓ）、送信バッファ４３ｂに記憶されるデータに外出中コードを付加し（Ｓ４５）、一方、外出設定フラグ４６ｇがオフであれば（Ｓ４４：Ｎｏ）、送信バッファ４３ｂに記憶されるデータに在宅中コードを付加する（Ｓ４７）。Ｓ４５またはＳ４７の処理の後は、送信バッファ４３ｂに記憶されるデータに、データ送信要求元の電話番号を付加し、接続される携帯電話５６に送信し（Ｓ４６）、この応答データ送信処理（Ｓ２３）を終了する。
【０１６２】
携帯電話５６に、かかるデータが送信されると、受信した電話番号を自動ダイヤル回路により発呼するとともに、その回線が閉結されるとメールデータを送信する。これにより、親機４０から、検出データが無線回線６０を介して送信先の携帯電話１００或いはＰＣ１１０へと送信される。そして、情報を受信した携帯電話１００の表示画面に、図４に示した情報が表示される。
【０１６３】
図９は、子機２０において実行されるデータ変換処理のフローチャートである。データ変換処理は、子機２０に接続されるアナログセンサ（センサ２〜４）により検出されるアナログの検出データをデジタルの検出データに変換する処理である。このデータ変換処理は、各子機２０毎に実行される。各子機２０は、上記したように１の監視エリアごとに設置されるので、その監視エリアに設置されるアナログセンサ２〜４により検出されたアナログデータをその近傍においてデジタルデータに変換することができる。
【０１６４】
このデータ変換処理では、まず、検出されたアナログデータを所定時間毎にサンプリングし（Ｓ６１）、そのサンプリングしたアナログデータをデジタルデータに変換する（Ｓ６２）。その後、変換したデジタルデータに検出元センサの情報（センサの種類を示すセンサコード）を付加する（Ｓ６３）。子機２０に接続されるセンサ２〜６，２８は、そのセンサ２〜６，２８の信号線が接続されるポートの位置によりＭＰＵ２１に認識される。子機２０においては、各ポートに対応して、予めＲＯＭ２２にセンサの情報（センサの種類）が記憶されている。よって、子機２０に接続されたセンサ２〜６，２８に、それぞれのセンサの情報（センサの種類を示すセンサコード）を付加することができる。
【０１６５】
Ｓ６３の処理の後は、センサの情報が付加された検出データをＲＡＭ２３の所定のエリアに書込み、先に記憶されるデータを更新して（Ｓ６４）、このデータ変換処理を終了する。
【０１６６】
図１０は、子機２０において実行される検出データ送信処理のフローチャートである。検出データ送信処理は、上記したデータ変換処理でＲＡＭ２３の所定エリアに記憶された検出データを、親機４０から送信される検出データ要求コマンドに基づいて、親機４０に送信する処理である。
【０１６７】
この検出データ送信処理では、まず、自己の識別番号の付加された検出データ要求コマンドを受信したか否かを確認し（Ｓ７１）、確認の結果、自己の識別番号の付加された検出データ要求コマンドの受信でなければ（Ｓ７１：Ｎｏ）、この検出データ送信処理を終了する。一方、Ｓ７１の処理で確認した結果、自己の識別番号の付加された検出データ要求コマンドの受信であれば（Ｓ７１：Ｙｅｓ）、ＲＡＭ２３に記憶される検出データを送信メモリ２３ａに書込み（Ｓ７２）、その後、送信メモリ２３ａに記憶される検出データに子機の識別番号（番号１〜２０のいずれか）と送信先の親機４０の識別番号とをヘッダデータとして付加する（Ｓ７３）。そして、ヘッダデータの付加された検出データを親機４０に送信し（Ｓ７４）、この検出データ送信処理を終了する。
【０１６８】
尚、子機２０は、親機４０から送信されたデータ（コマンド）を、第１コネクタ２６を介して受信するが、この受信したデータ（コマンド）に自己の識別番号が付加されていなければ、そのデータ（コマンド）を第２コネクタ２７から出力して、受信したデータを通過させる（検出データ送信処理は実行されない）。また、この子機２０に（親機４０の反対側において）接続される他の子機２０から親機４０に送信されるデータは、第２コネクタ２７により受信された後、第１コネクタ２６から出力される。つまり、他の子機２０から親機４０へ送信されるデータについても通過させるのである。
【０１６９】
以上説明したように、上記実施例のハウスセキュリティシステム１によれば、人体センサ２８が、各監視エリアに配設されており、各監視エリアの人体センサ２８により検出された検出データ（人体検出データ）が、人体の検知を示す場合には、その検出時刻の情報が、親機４０に記憶される。この親機４０に記憶される検出時刻の情報は、検出元の人体センサ２８が、新たに人体を検知するまで保持される。つまり、各人体センサ２８がその配設された監視エリアにおいて、最後に人体を検出した検出時刻が、親機４０において、各監視エリア毎に記憶される。
【０１７０】
その人体の検出時刻とその検出場所を示す情報は、現状の屋内の環境（温度や照度）を示す情報と共に、携帯電話１００などに送信される。故に、外出中の居住者は、携帯電話１００などに表示される情報を閲覧することにより、在宅中の居住者の行動や屋内環境を的確に把握することができる。
【０１７１】
なお、上記各実施例において、請求項１記載の出力手段としては、図８のフローチャートのＳ４１〜Ｓ４７の処理が該当する。請求項２記載の出力手段としては、図８のフローチャートのＳ４１〜Ｓ４７の処理が該当する。請求項３記載の異常情報出力手段としては、図６のフローチャートのＳ２５の処理が該当する。請求項４記載の利用者判断手段としては、図６のフローチャートのＳ１３の処理が該当する。請求項４記載の更新手段としては、図６のフローチャートのＳ１３，Ｓ１４の処理が該当する。請求項９記載の識別情報判断手段としては、図５のフローチャートのＳ２の処理が該当する。請求項９記載の送信禁止手段としては、図５のフローチャートのＳ２の処理の「Ｎｏ」への分岐が該当する。請求項１０記載の受信手段としては、親機４０の携帯電話５６によって出力された検出データが携帯電話１００によって受信される処理が該当する。また、請求項１０記載の表示装置としては、携帯電話１００の表示装置が該当する。
【０１７２】
以上、上記第１実施例に基づき本発明を説明したが、本発明は上記第１実施例に何ら限定されるものでなく、本発明の主旨を逸脱しない範囲内で種々の改良変形が可能であることは容易に推察できるものである。
【０１７３】
例えば、上記第１実施例のハウスセキュリティシステム１においては、子機２０により検出された全ての検出データは、同じ送信先に送信されるように構成したが、これに変えて、検出データの内容によって、異なる送信先へ送信するように構成してもよい。例えば、異常時に緊急の対応が必要となる温度センサ２、ガス漏れセンサ５、煙センサ６、人体センサ２８などの検出データについては、警備会社（ＰＣ１１０）へ送信するように構成すれば、異常の発生により緊急の対応が必要な場合において、専門家（警備会社）による迅速な対応を実行することができる。また、通常の定時送信される検出データについては、その住居の居住者の携帯電話１００へ送信し、異常があった場合には、警備会社（ＰＣ１１０）にそのデータを送信するように構成してもよい。
【０１７４】
更に、上記第１実施例のハウスセキュリティシステム１は、全ての居住者が在宅している場合の動作については言及していないが、全居住者が在宅の際においても、就寝時にはセキュリティモードを設定し、温度センサ２、ガス漏れセンサ５、煙センサ６、窓センサ、振動センサなどにより異常が検知された場合には、警備会社に対して緊急通報処理が実行されるように構成しても良い。
【０１７５】
加えて、上記第１実施例のハウスセキュリティシステム１において、停電時の動作については特に言及していないが、停電時にも各装置が所定時間以上動作するように、２次電池や太陽電池などによって停電時の電源を確保するように構成してもよい。また、停電の発生を監視する停電監視回路を設けてもよい。この停電監視回路により停電が感知された場合には、その旨（異常の発生）を携帯電話１００やＰＣ１１０に通報するように構成してもよい。
【０１７６】
また、上記第１実施例のハウスセキュリティシステム１において、親機４０（携帯電話５６）から、緊急通報（エラーの報知を含む）がなされた場合に、その通報解除を居住者の所持する携帯電話１００から、暗号を入力することなどにより行ってもよい。これにより同じ警報が何度も送信されることを回避することができる。
【０１７７】
更に、設定スイッチ２９は、子機２０の数に対応する数と同じ数のスイッチにより構成され、所定の位置のスイッチが押下されることにより子機２０に識別番号が付与された。これに代えて、ダイヤル式のスイッチを用いて、そのダイヤル位置によって識別番号を付与しても良い。また、スライドスイッチを複数を設けて、スイッチ位置の組み合わせにより、識別番号を付与しても良い。また、子機２０に書換え可能な不揮発性のメモリを設け、親機４０からかかるメモリへ識別番号を書き込むことにより、各子機２０に識別番号を付与しても良い。
【０１７８】
加えて、管理処理において、子機２０にエラーが検出された場合には、その旨をメールデータにより携帯電話１００などに通報するように構成しても良い。
【０１７９】
更に、上記第１実施例のハウスセキュリティシステム１においては、各センサの検出データを親機４０のＥＥＰＲＯＭ４６に記憶させるように構成したが、これに代えて、ＲＡＭ４３に記憶させるように構成しても良い。
【０１８０】
また、上記第１実施例のハウスセキュリティシステム１においては、人体センサ２８によって人体が検出された場合でも否である場合であっても、その検出データを親機４０に送信し、親機４０において、人体が検知された情報であるか否かを判別し、人体が検出された検出データであった場合にのみ子機メモリ４６ｆに書込むように構成した。これに代えて、人体が検出された検出データのみを子機２０から出力するように構成しても良い。
【０１８１】
更に、上記第１実施例のハウスセキュリティシステム１においては、親機４０からのデータ要求コマンドを受信したタイミングで、各センサにより検出される検出データを子機２０が読取り、該タイミングで読取ったデータを親機４０に送信するように構成した。これに代えて、人体センサ２８により人体が検出された場合には、子機２０においてその検出時刻を記憶し、親機４０からのデータ要求コマンドを受信したタイミングでその記憶する検出時刻の情報を送信するように構成しても良い。親機４０からのデータ要求が、所定時間毎に断続的に行われている場合、そのデータ要求の間隔によっては、人体センサ２８によって人体が検出された情報が、親機４０に送信されない場合がある。そのデータの要求間隔の間に人体が移動してしまうことがあるからである。このため、本実施例のハウスセキュリティシステム１では、親機４０からのデータ要求の間隔は、例えば、２０台の子機２０に対してのデータ要求コマンドの送信時間が略１秒となるような短時間に設定された。しかし、人体センサ２８によって人体が検出された場合に、その検出時刻を子機２０において記憶するように構成すれば、親機４０からのデータ要求の間隔の設計に対して、自由度を大きくすることができる。また、本親機４０からのデータ要求コマンドの送信間隔を長くすることにより、子機２０及び親機４０の制御負担を軽減することができる。
【図面の簡単な説明】
【図１】ハウスセキュリティシステムを模式的に表した外観図である。
【図２】ハウスセキュリティシステムの電気的構成を示したブロック図である。
【図３】親機のＥＥＰＲＯＭに設けられた子機メモリの構成を示した図である。
【図４】親機により出力されたデータが携帯電話に表示された表示画面を模式的に示した図である。
【図５】親機により実行される管理処理のフローチャートである。
【図６】親機により実行されるデータ受信処理のフローチャートである。
【図７】親機のデータ受信処理の中で実行される異常判定処理のフローチャートである。
【図８】親機のデータ受信処理の中で実行される応答データ送信処理のフローチャートである。
【図９】子機により実行されるデータ変換処理のフローチャートである。
【図１０】子機により実行される検出データ送信処理のフローチャートである。
【符号の説明】
１              ハウスセキュリティシステム
２              温度センサ（環境検知センサ、アナログセンサ）
３              照度センサ（環境検知センサ、アナログセンサ）
４              湿度センサ（環境検知センサ、アナログセンサ）
５              ガス漏れセンサ（環境検知センサ）
６              煙センサ（環境検知センサ）
１０            外部装置（センサユニットの一部）
２０            子機（中継装置、センサユニットの一部）
２８            人体センサ（利用者検知センサ）
３５            有線回線（有線回線）
４０            親機（管理装置）
４６ｄ          電話番号メモリ（識別情報記憶手段）
４６ｆ１ｂ      時刻メモリ（検出時刻記憶手段）
５７            外出モード設定スイッチ（不在モード設定手段）
６０            無線回線（無線回線）
１００          携帯電話（情報受信装置）
１１０          パーソナルコンピュータ（ＰＣ）（情報受信装置）
【図１】
2004171266.tif 000003
【図２】
2004171266.tif 000004
【図３】
2004171266.tif 000005
【図４】
2004171266.tif 000006
【図５】
2004171266.tif 000007
【図６】
2004171266.tif 000008
【図７】
2004171266.tif 000009
【図８】
2004171266.tif 000010
【図９】
2004171266.tif 000011
【図１０】
2004171266.tif 000012